(57)【要約】      （修正有）【課題】ペットボトル等を騒音を発することなく減容処理できようにする。【解決手段】減容処理装置は、水槽７と、水槽７内において水中にある状態のプラスチックボトルＰを押し潰す押し潰し手段とを備える。押し潰し手段は、搬送プレスローラー１０とプレスローラー１１とで構成され、プラスチックボトルＰは、搬送プレスローラー１０と、プレスローラー１１との間に送り込まれた後、それぞれのローラ１０、１１により両側からプレスされる。【選択図】図２
2007144506.tif 000002
【特許請求の範囲】
【請求項１】
水槽と、
前記水槽内において水中にある状態のプラスチックボトルを押し潰す押し潰し手段と、を備えることを特徴とする減容処理装置。
【発明の詳細な説明】
【技術分野】
【０００１】  この発明はペットボトル等を減容処理するための装置に関する。
【背景技術】
【０００２】  最近、ペットボトルをリサイクル使用することが行われている、ペットボトルは形態が大きいので運搬コストや保管コストが高くなることがこれを妨げている。
【発明の開示】
【発明が解決しようとする課題】
【０００３】  ペットボトルの処理場には従来よりペットボトルを押し潰すような装置があり、その装置を用い運搬したり保管するに先だってペットボトルを押し潰して減容することが考えられる。しかしながら、プラスチックス製のペットボトルを押し潰す際には大きな騒音が生じ、一般家庭、マンション、コンビニエンスストア等においてそのような装置をいることは環境上の問題がある。【０００４】  この発明では、ペットボトル等を騒音を発することなく減容処理できるようにすることを目的とする。
【課題を解決するための手段】
【０００５】  この発明では、水槽と、前記水槽内において水中にある状態のプラスチックボトルを押し潰す押し潰し手段とを備える減容処理装置を提供する。【０００６】  この発明の減容処理装置によれば、水中においてプラスチックボトルを押し潰すことでそれに伴う騒音の発生を著しく減少できる。また、この発明の減容処理装置は、実施形態にあるように水中でプラスチックボトルを処理する点を利用することで紙ラベルの除去機能、内部洗浄機能をも併せ持つ高機能な装置として実現できる。
【発明の効果】
【０００７】  この発明によれば、ペットボトル等の減容処理が騒音を発することなく行えるようになり、これにより、一般家庭、マンション、コンビニエンスストア等においてもペットボトル等の減容処理が騒音を気にすることなく行えるなる。その結果、ペットボトル等のリサイクル使用が促進されるようになる。
【発明を実施するための最良の形態】
【０００８】  図１はこの発明の減容処理装置の内部構成を示す平面構成略図、図２は同じく側面構成略図、図３は減容処理部の斜視図である。【０００９】  減容処理装置１は装置本体ケース２内の上部に減容処理部４が設けられ、下部が回収ボックス３、３それぞれの配置スペース５とされている。【００１０】  減容処理部４は水槽７内に搬送プレスローラ（押し潰し手段）１０、プレスローラー（押し潰し手段）１１、穴あけローラー１２、ブラシローラー１３のそれぞれが同軸方向に配置され、さらに一方側の上縁にラベル排出用の回転作動体１６が取り付けられて構成されている。上記搬送プレスローラ１０、プレスローラー１１、穴あけローラー１２、ブラシローラー１３、回転作動体１６はともに図示しない駆動モータにより設定速度において所定の方向に回転作動される。【００１１】  水槽１には図示しない給水栓、排水栓を介して給水、排水が行われ、水槽１内の底部には複数個のジェット水流の噴射ノズル１８がブラシローラー１３側に水流を噴射するように設けられている。【００１２】  搬送プレスローラ１０は金属製で、その周面には軸方向に沿って複数列に搬送用の係止棒２０が所定の間隔をおいて立設されるとともに、さらに周面には軸方向に直交する方向に上記係止棒２０間に位置して所定の間隔で複数列の溝２１が形成されている。また、搬送プレス用ローラ１の表面にはポリウレタンコート層が付設されている。【００１３】  プレスローラ１１は金属製で上記搬送プレスローラ１０に当接可能に相対配置され、その周面には軸方向に直交する方向に上記搬送プレスローラ１０の係止棒２０それぞれに対応する位置に複数列の溝２４が形成されるとともに、上記搬送プレスローラ１０の溝２１それぞれに対応する位置に複数列の凸状２５それぞれが形成されるている。プレスローラ１１の表面にもポリウレタンコート層が付設されている。【００１４】  穴あけローラー１２は金属製で、プレスローラ１１とは逆側下方において上記搬送プレスローラ１０に相対配置され、その周面には軸方向に直交する方向に沿って複数列に穴あけ用のカギ片２７が所定の間隔をおいて突設されるとともに、さらに、上記搬送プレスローラ１０の係止棒２０それぞれに対応する位置に複数列の溝２８それぞれが形成されている。【００１５】  ブラシローラー１４はその周囲に多数の金属線が放射状に植設された形態で、上記搬送プレスローラ１０下方に穴あけローラーに１２隣接して配置されている。【００１６】  回転作動体１６は軸体３０に対して複数本の棒片３１が一体に取り付けられて構成されている。【００１７】  以下、上記減容処理装置１の使用時の動作をさらなる詳細構成と併せ説明する。【００１８】  ペットボトル（プラスチックボトル）Ｐは減容処理装置１上方のホッパー４０から投入されると、水平方向になった状態で水槽７内の水面位置に転がり落ちる。転がり落ちたペットボトルＰは上記搬送プレスローラー１０が矢印Ａ方向に回転されていることでその係止棒２０に係止され浮力に抗して水中内に引き込まれ、さらに、矢印Ｂ方向に回転する穴あけローラー１２に押し付けられ、その押し付けられた状態で下方に搬送される。その際には、搬送プレスローラー１０と穴あけロー��１２との回転は、係止棒２０が溝２８に入る状態となることで支障なく行われる。【００１９】  上記のペットボトルＰが穴あけローラー１２に押し付けられ、その押し付けられた状態で搬送される間に穴あけローラ１２のカギ片２７それぞれがペットボトルＰ面に食い込み多数の穴をあける。このように穴があけられることでそこからペットボトルＰ内に水が侵入し、これにより水中を搬送されるに伴ってペットボトルＰ内部の洗浄がおこなわれる。【００２０】  さらに、係止棒２０により搬送が継続されることでペットボトルＰはその表面が矢印Ｃ方向に回転するブラシローラ１３に接触する。この接触により回転するブラシローラ１３によりペットボトルＰ表面に紙ラベルが貼ってあるものはそれがはがされる。紙ラベルは水を含み、かつ、穴あけローラー１２で穴があけられているので、容易にブラシローラ１３により掻き取られて剥される。剥され水中に至った紙片は噴射ノズル１８それぞれから矢印Ｄ方向に噴射されるのジェット水流により穴あけローラ１２の下方側に送り込まれ、浮上した段階で矢印Ｅ方向に回転される回転作動体１６により巻き上げられて外部に排出される。排出された紙片は一方の回収ボックス３内に溜められる。【００２１】  紙ラベルが剥されたはペットボトルＰはさらに搬送プレスローラー１０により搬送されて矢印Ｆ方向に回転するプレスローラー１１との間に送り込まれ、ここでそれぞれのローラ１０、１１により両側からプレスされるとともに、プレスローラー１１の凸状２５それぞれの食い込みにより、図４に示すように、ペットボトルＰは扁平な潰れ形態とされる。その際には、搬送プレスローラー１０とプレスローラー１１との回転は、係止棒２０が溝２４に入り、逆に凸状２５が溝２１に入ることで支障なく行われる。【００２２】  プレスのみでは形態が復元する可能性があるが、凸状２５の食い込みにより食い込み跡３３が形成されることでペットボトルＰの角部が確実に破壊されるので、形態復元のおそれはない。ペットボトルＰを空気中において上記のような形態とすべく潰す場合には多大な騒音が発するが、この減容処理装置１では水中で潰すことでその騒音発生を顕著に軽減できる。【００２３】  また、上記プレス動作の始めのペットボトルＰの挟み込み時に、それぞれのローラー１０、１１の表面が金属面であるとそれら面とペットボトルＰ面との間において滑りが発生してプレス動作がスムーズに開始されなくおそれがあるが、それぞれのローラー１０、１１表面にポリウレタンコート層が設けられていることで滑りがなくなりスムーズにプレス動作が開始される。【００２４】  プレスされて扁平となったペットボトルＰは、搬送プレスローラー１０側に貼り付いた状態となりやすいが、後に説明する排出ガイド４１と同形態のスクレパー３５により搬送プレスローラー１０面から剥されてプレスローラー１１上に乗って搬送され、排出ガイド４０に沿って外部に排出されて、他方の回収ボックス３内に溜められる。上記排出ガイド４１は、図１に示すように、プレスローラー１１の凸状２５が通過するための切り欠き４２を持ち、プレスローラー１１に貼り付いたペットボトルＰを剥すスクレパーとしての機能を併せ持つ。上記スクレパー３５は搬送��レスローラー１０の係止棒２０が通過する切り欠きを備える。ペットボトルＰと紙片とが溜められた回収ボックス３それぞれは、装置本体ケース２の扉５０が開かれることで外部に持ち出される。【００２５】  上記のようにして、ホッパー４０にペットボトルＰを投入するだけで、騒音を発することなく、紙ラベルが剥されるとともに内部の洗浄がなされ、しかも、復元することがなく確実に減容されたペットボトルＰの減容品が回収ボックス３に自動的に回収される。この減容品は紙ラベルが剥されるとともに内部洗浄が行われているので、リサイクル使用に好適なものとなっている。
【図面の簡単な説明】
【図１】  この発明の減容処理装置の実施形態の内部構成を示す平面構成略図
【図２】  この発明の減容処理装置の実施形態の内部構成を示す側面構成略図
【図３】  この発明の減容処理装置の減容処理部の実施形態の斜視図
【図４】  この発明の減容処理装置によって得られる処理後のペットボトルの斜視図
【符号の説明】
１    減容処理装置
１０  搬送プレスローラー（押し潰し手段）
１１  プレスローラー（押し潰し手段）
Ｐ    ペットボトル（プラスチックボトル）
【図１】
2007144506.tif 000003
【図２】
2007144506.tif 000004
【図３】
2007144506.tif 000005
【図４】
2007144506.tif 000006